(57)【特許請求の範囲】
【請求項１】
地盤に複数の杭体と前記杭体近傍の廻りを囲む多数の棒状改良体を設ける杭基礎地盤の改良方法において、少なくとも一部の杭体については、前記棒状改良体で該杭体近傍の周囲のみを所定深度まで平面形状で略円形状の閉鎖型となるように単独に取囲むことによって、前記杭体と閉鎖型配置した前記棒状改良体とその間に拘束される未改良部分の地盤とを複合杭体的に機能させることを特徴とする杭基礎地盤の改良方法。
【発明の詳細な説明】
【０００１】
【発明の属する技術分野】
この発明は、例えば、建物の基礎として複数の杭体を設ける等から形成される杭基礎地盤の改良方法に関するものである。
【０００２】
【従来の技術】
例えば、液状化の発生が予想されるような軟弱地盤において、前述した杭基礎を形成している場合には、その各杭体が、地震時の地盤震動によって、強制変形を受けることとなる。
【０００３】
そして、特に液状化の発生を伴う場合には、各杭体に極めて過大な応力および変形が生じ、各杭体の構造耐力の健全性が確保できなくなることがある。
【０００４】
この液状化の発生で各杭体の健全性が確保できなくなることの対処方法としては、杭体そのものの補強に限界があることから、液状化防止のための地盤改良を行うことが考えられる。
【０００５】
このような杭基礎地盤の改良方法として、従来では、平面的に格子状の地盤改良体を構築して閉鎖型とし、その格子状の各升目に杭基礎地盤における各杭体を取込むことにより、液状化発生の要素の一つである地下水を遮断して、各杭体の構造耐力の健全性を確保するものが提案されている。
【０００６】
この格子状に改良体を構築する地盤改良は、その格子状の各升目をある程度小さくすることによって、液状化防止に効果があるとされている。
【０００７】
【発明が解決しようとする課題】
しかし、前述した従来の杭基礎地盤の改良方法では、液状化の防止効果を向上させるために格子升目を小さくすると、地盤の改良率が増大してしまうことになると共に、施工費や材料費も増大してしまうことになる。
【０００８】
これらのことから、地盤の改良率をある程度小さく抑えることができると共に、液状化の発生も抑制でき、さらに、杭体の構造耐力の健全性を確実に確保できる改良方法が必要とされていた。
【０００９】
この発明は前述した事情に鑑みて創案されたもので、その目的は地盤の改良率を小さくでき液状化の発生も抑制できて、各杭体の健全性を確実に確保できる杭基礎地盤の改良方法を提供することにある。
【００１０】
【課題を解決するための手段】
建物基礎形式として杭基礎を採用する場合には、地震時の液状化発生の有無に係わらず建物を支持するのは各杭体であるから、最終的には各杭体の構造耐力の健全性を確保することが必要である。
【００１１】
そこで、この発明においては、地盤に複数の杭体と前記杭体近傍の廻りを囲む多数の棒状改良体を設ける杭基礎地盤の改良方法において、少なくとも一部の杭体については、前記棒状改良体で該杭体近傍の周囲のみを所定深度まで平面形状で略円形状の閉鎖型となるように単独に取囲むことによって、前記杭体と閉鎖型配置した前記棒状改良体とその間に拘束される未改良部分の地盤とを複合杭体的に機能させるようにした。
【００１２】
そして、杭体近傍の廻りを囲む改良体により、例えば、液状化の発生が予想されるような軟弱の杭基礎地盤において、周辺地盤の液状化による影響が杭に及ぶのを阻止できるようにしている。
【００１３】
しかも、杭体近傍の廻りを囲む改良体により、杭体との問における未改良部分の地盤を拘束できるので、この未改良部分における液状化の発生を抑制することができる。
【００１４】
このように、この発明の杭基礎地盤の改良方法では、杭体と多数の棒状改良体からなる改良体とを組合わせて、杭基礎地盤の各杭体毎に複合杭体的な効果を期待できるようにしたことにより、その各杭体の構造耐力の健全性を確実に確保できるようにしている。
【００１５】
さらに、杭基礎地盤の各杭体毎に杭体近傍の周囲のみに改良体を構築するという少ない改良率で、各杭体の構造耐力の健全性を確実に確保できるようにしている。
【００１６】
【発明の実施の形態】
以下、この発明の杭基礎地盤の改良方法を、図示する一実施形態によって説明する。
【００１７】
先ず、杭基礎地盤について説明すると、杭基礎地盤１には、図１(ｂ)に示すように、建物２の基礎として杭体３を設けている。
【００１８】
そして、この発明における杭基礎地盤１の改良は、図１(ｂ)に示すように、杭体３近傍の所定深度周囲を、図１(ａ)に示すように、平面形状で閉鎖型となるように略円形状に構築する改良体４により、杭基礎地盤１の各杭体３をそれぞれ単独で囲むことで行われる。
【００１９】
なお、この実施形態での改良体４は、杭体３の頭部から先端部に向かって延びる略円柱体状に形成した棒状改良体４ａ(図１(ａ)および図１(ｂ)参照))を、図１(ａ)に示すように、杭体３近傍の廻りに略円形状に多数個設けることで構築している。
【００２０】
また、この改良体４の先端部レベル(図１(ｂ)参照)は、液状化する部分のみの改良や支持層５までの改良など、地盤状況に応じて、杭体３の構造耐力の健全性を確保できるレベルまで改良する。
【００２１】
このように、この発明の杭基礎地盤１の改良方法によれば、各杭体３近傍の廻りを各杭体３毎に囲む改良体４により、例えば、液状化の発生が予想されるような軟弱の杭基礎地盤において、周辺地盤の液状化による影響が及ぶことを各杭体３毎に阻止できる。
【００２２】
また、改良体４で各杭体３をそれぞれ単独で囲むことによって、閉鎖型配置した改良体４と杭体３との問における未改良部分６(図１(ａ)参照)の地盤も改良体４により拘束できるので、この未改良部分６の液状化の発生を抑制できる。
【００２３】
このように、この発明の杭基礎地盤１の改良方法では、杭体３と、この杭体３近傍の周囲にのみ閉鎖型に配置した改良体４とを組合わせたことにより、杭基礎地盤１における各杭体３毎に複合杭体的な効果を期待できる。
【００２４】
そのため、杭基礎地盤１における各杭体３の構造耐力の健全性を確実に確保できる。
【００２５】
また、杭基礎地盤１の各杭体３毎に杭体３近傍の周囲のみに改良体４を構築するという少ない改良率で、各杭体３の構造耐力の健全性を確実に確保できる。
【００２６】
しかも、この少ない改良率により、杭体３への液状化の影響阻止と、杭体３近傍地盤の液状化発生の抑制とを行えるので、この発明によれば、極めて経済性の高い杭基礎地盤１の改良方法を提供することができる。
【００２７】
図２は、この発明の改良方法で形成する改良体４の別形態を示すものである。
図２においては、各杭体３をそれぞれ単独で囲む改良体４と、各杭体３を複数本毎まとめて囲む改良体４とを適宜組合せて用い、杭基礎地盤１の地盤改良を行うこととする。
【００２８】
このように、図１に示した単独で囲む形態の改良体４と、複数本毎まとめて囲む形態の改良体４とを適宜組合せることにより、即ち、改良体４による閉鎖部分の形態と配置とを工夫することにより、改良体４で囲まれた閉鎖部分を除く残りの原地盤についても、液状化の発生抑制を期待できる。
【００２９】
従って、杭基礎とする地盤の状態に合わせて最適な地盤改良を、極力少ない改良率で施すことができる。
【００３０】
【発明の効果】
この発明の改良方法では、杭基礎地盤の各杭体をそれぞれ単独に杭体近傍の廻りを囲む改良体により、例えば、液状化の発生が予想されるような軟弱の杭基礎地盤でも、周辺地盤の液状化による影響が及ぶことを各杭体毎に阻止できる。
【００３１】
また、この発明の改良方法では、各杭体を単独に改良体にて取囲むことによって、杭体と閉鎖型配置した改良体との問における未改良部分の地盤も、改良体により拘束できるので液状化の発生を抑制できる。
【００３２】
これらのことから、この発明の改良方法によれば、杭体とこの杭体近傍の周囲にのみ閉鎖型に配置した改良体とが組合わされることにより、杭基礎地盤の各杭体において、それぞれ単独の複合杭体的な効果を期待できる。
【００３３】
そのため、例えば、液状化の発生が予想されるような軟弱の地盤に杭基礎を構築した場合でも、その杭基礎地盤における各杭体の構造耐力の健全性を確実に確保できる。
【００３４】
さらに、この発明によれば、杭体近傍の周囲のみという少ない改良率で、液状化発生の抑制効果も期待でき、極めて経済性の高い杭基礎地盤の改良方法を提供できる。
【図面の簡単な説明】
【図１】  (ａ)はこの発明の杭基礎地盤の改良方法による改良体の構築状態を示す概略平面図で、(ｂ)は(ａ)のＡ−Ａ線断面である。
【図２】  この発明の改良方法の別形態を示す概略平面図である。
【符号の説明】
１…杭基礎地盤、２…建物、３…杭体、４…改良体、４ａ…棒状改良体、５…支持層、６…未改良部分
【図１】
0003772643.tif 000002
【図２】
0003772643.tif 000003